(57)【要約】【課題】部品点数の増加がなくコンパクトで、レール幅方向への固着力を強化した取付台を得る。【解決手段】この発明の機器の取付台１は、被取付物の取付レール２０を当接させる取付面となる底部１ａの両側側縁に設けられ、機器本体の両側面に貫通するレール嵌合溝を形成する第１のレール幅規制部２および第２のレール幅規制部３と、取付面部の第１のレール幅規制部２および第２のレール幅規制部３の内の少なくとも一方の周辺に、取付レールの幅方向の弾性を持たせるために形成した溝１０と、を有し、第１のレール幅規制部２と第２のレール幅規制部３との間隔は、取付レールの幅より小さい寸法とし、取付作業時および固定時に溝１０の弾力を利用する。さらに、第１のレール幅規制部２にネジ挿入穴６、７および第２のレール幅規制部３にネジ挿入穴８、９を設け、取付台１をネジ取付する場合においても溝１０の弾力を利用できる。【選択図】        図１
2004296399.tif 000002
【特許請求の範囲】
【請求項１】
被取付物の取付レールを当接させる取付面となる底部の両側側縁に設けられ、機器本体の両側面に貫通するレール嵌合溝を形成する第１のレール幅規制部および第２のレール幅規制部と、
前記取付面部の第１のレール幅規制部および第２のレール幅規制部の内の少なくとも一方の周辺に、前記取付レールの幅方向の弾性を持たせるために形成した溝と、を有し、
前記第１のレール幅規制部と第２のレール幅規制部との間隔は、前記取付レールの幅より小さい寸法とし、取付作業時および固定時に前記溝の弾力を利用するようにしたことを特徴とする機器の取付台。
【請求項２】
被取付物の取付レールを当接させる取付面となる底部の両側側縁に設けられ、機器本体の両側面に貫通するレール嵌合溝を形成するとともに、中央部付近に切欠け部分を設けた第１のレール幅規制部および第２のレール幅規制部と、
この第１のレール幅規制部および第２のレール幅規制部の中央部付近の切欠け部分に設けられ、前記取付レールを係止させた際に前記取付レールの一辺および他辺に引掛けて、前記取付レールの外れを規制するかぎ形の第１のレール係止片および第２のレール係止片と、
前記取付面部の第１のレール幅規制部および第２のレール幅規制部の内の少なくとも一方の周辺に、前記取付レールの幅方向の弾性を持たせるために形成した溝と、を有し、
前記第１のレール幅規制部と第２のレール幅規制部との間隔は、前記取付レールの幅より小さい寸法とし、取付作業時および固定時に前記溝の弾力を利用するようにしたことを特徴とする機器の取付台。
【請求項３】
前記第１のレール幅規制部および前記第２のレール幅規制部にネジ挿入穴を設けたことを特徴とする請求項１または請求項２のいずれかに記載の機器の取付台。
【発明の詳細な説明】
【０００１】
【発明の属する技術分野】
この発明は、継電器、電磁接触器等の機器における取付台の構造に関するものである。
【０００２】
【従来の技術】
一般に、継電器、電磁接触器等の機器の取付においては、ハット形断面形状の取付レールに係止固定することが多い。
取付面となる底面の両側縁に幅規制突条を形成し、ハット形断面形状の取付レールが嵌合するようにしたものとして、特許文献１（特開昭５９−１２７３２４号公報）に開示されたレール取付装置がある。
【０００３】
特許文献１のレール取付装置は、被取付物の取付レールを当接させる取付面の一側縁に、取付レールの側縁に係合する先端爪を先端内側に有しかつ先端外側に曲げ操作片を有するＴ字形側面形状の弾性係止片を設け、この弾性係止片に曲げ具挿通孔を形成したものである。そのため、曲げ具挿通孔にドライバ等の係止具を挿入して弾性係止片を撓ませることにより、弾性係止片と他の係止片との間隔を広げてレールの係止を行なうことができる。
【０００４】
【特許文献１】
特開昭５９−１２７３２４号公報（１頁〜４頁、図１〜図３）
【０００５】
【発明が解決しようとする課題】
特許文献１のレール取付装置では、ボックスの取付面となる下面の両縁側に、幅規制突条６０，６１が形成されており、両幅規制突条６０，６１間の間隔は、ハット形断面形状の取付レール６２が勘合する幅に成形されている。一方の幅規制突条６０の先端側縁には２個の係止突部６３が設けられ、この係止突部６３と幅規制突条６０とで固定係止部６４が形成されている。他方の幅規制突条６１は中央で切欠かれ、その切欠部分にかぎ形の弾性係止片６５が突設されている。
【０００６】
上述の特許文献１のレール取付装置は、「ドライバ６８を用いて弾性係止片６５を撓ませることにより、簡単に取付レール６２への取付けを行なうことができる。また、弾性係止片６５はボックスに一体に設けられたものであるため、部品点数の増加がなく、またコンパクトである。」という効果がある。
【０００７】
しかしながら、特許文献１のレール取付装置は、弾性係止片６５のレール６２の幅方向への弾性力を利用して係止固定しているので、取付レールの長手方向への外力に対して横すべりするという問題点があった。
【０００８】
また、レール６２の横すべり対策として、レール幅規制突条６０、６１間の間隔をレール６２の幅に合わせて形成することで対策することも可能だが，これはレールに対する規格（ＤＩＮ／ＩＥＣ／ＪＩＳ規格等）に定める寸法許容差（例えば、３５ｍｍ幅レールであれば±０．３ｍｍの寸法許容差がある）全てを包括することが困難であるという問題点があった。
【０００９】
この発明は、上述のような課題を解決するためになされたもので、部品点数の増加がなくコンパクトで、レール幅方向への固着力を強化した取付台を得ることを目的とする。
【００１０】
【課題を解決するための手段】
この発明の機器の取付台は、被取付物の取付レールを当接させる取付面となる底部の両側側縁に設けられ、機器本体の両側面に貫通するレール嵌合溝を形成する第１のレール幅規制部および第２のレール幅規制部と、前記取付面部の第１のレール幅規制部および第２のレール幅規制部の内の少なくとも一方の周辺に、前記取付レールの幅方向の弾性を持たせるために形成した溝と、を有し、前記第１のレール幅規制部と第２のレール幅規制部との間隔は、前記取付レールの幅より小さい寸法とし、取付作業時および固定時に前記溝の弾力を利用するようにしたものである。
【００１１】
また、この発明の機器の取付台は、被取付物の取付レールを当接させる取付面となる底部の両側側縁に設けられ、機器本体の両側面に貫通するレール嵌合溝を形成するとともに、中央部付近に切欠け部分を設けた第１のレール幅規制部および第２のレール幅規制部と、この第１のレール幅規制部および第２のレール幅規制部の中央部付近の切欠け部分に設けられ、前記取付レールを係止させた際に前記取付レールの一辺および他辺に引掛けて、前記取付レールの外れを規制するかぎ形の第１のレール係止片および第２のレール係止片と、前記取付面部の第１のレール幅規制部および第２のレール幅規制部の内の少なくとも一方の周辺に、前記取付レールの幅方向の弾性を持たせるために形成した溝と、を有し、前記第１のレール幅規制部と第２のレール幅規制部との間隔は、前記取付レールの幅より小さい寸法とし、取付作業時および固定時に前記溝の弾力を利用するようにしたものである。
【００１２】
さらに、前記第１のレール幅規制部および前記第２のレール幅規制部にネジ挿入穴を設けたものである。
【００１３】
【発明の実施の形態】
実施の形態１．
図１はこの発明の実施の形態１に係る取付台を適用した機器の外形を示す図で、（ａ）は取付台１の取付面となる底部１ａを上側とした平面図、（ｂ）は右側面図、（ｃ）は正面図である。また、図２はこの発明の実施の形態１に係る取付台と取付レールとの関係を示す図である。また、図３はこの発明の実施の形態１に係る取付台を取付レールに取付けた状態を示す図である。
【００１４】
図１〜図３において、１は例えば継電器、電磁接触器等の機器の取付台で、弾性のあるプラスチック樹脂で成形されている。取付台１の取付面となる底部１ａの両側側縁に、機器本体の両側面に貫通するレール嵌合溝を形成する第１のレール幅規制部としてのレール幅規制部２、第２のレール幅規制部としてのレール幅規制部３を設ける。このレール幅規制部２、３が形成するレール嵌合溝に、ハット形断面形状の取付レール２０が嵌合するが、レール幅規制部２、３間の間隔は、ハット形断面形状の取付レール２０の幅より小さい寸法とする。
【００１５】
また、レール幅規制部２、３は中央部付近で切欠かれ、レール幅規制部２の切欠け部分にかぎ形の第１のレール係止片４、レール幅規制部３の切欠け部分にかぎ形の第２のレール係止片５が設けられている。レール係止片４、５は、取付レール２０を係止させた際に取付レール２０の一辺２０ａおよび他辺２０ｂに引掛けて、レールの外れを規制するものである。
【００１６】
レール係止片４、５は、レール幅規制部２、３の底面２ａ、３ａと同一平面をなし、ネジ取付時に取付面を形成する底面４ａ、５ａと、取付レール２０のレール辺２０ａ、２０ｂに引っ掛ける引掛片４ｂ、５ｂと、ドライバの先端が挿通可能なスリット状に形成されている孔４ｃ、５ｃと、取付台１と接続する垂下片４ｄ、５ｄと、から構成され、取付台１に他の部分と同じ材料で一体に成形されたものである。ドライバを用いて孔４ｃ、５ｃを利用して、レール係止片４、５を撓ませることにより、簡単に取付台１を取付レール２０へ取付ることができる。
【００１７】
また、レール幅規制部２にはネジ取付時に使用するネジ挿入穴６、７が、レール幅規制部３にはネジ取付時に使用するネジ挿入穴８、９が形成される。
【００１８】
また、取付台底部１ａのレール幅規制部２周辺には、レール幅規制部２に取付レールの幅方向の弾性を持たせるための溝１０が形成されている。
【００１９】
実施の形態１に係る取付台１を取付レール２０に取付けた場合、図３に示すように、取付台１のレール係止片４、５は、垂下片４ｄ、５ｄが弾性により撓むことでレール辺２０ａ、２０ｂと各々係止され、レール幅規制部２、３が形成するレール嵌合溝に取付レール２０を固定する。垂下片４ｄ、５ｄの弾性により逆に外すこともでき、着脱可能となっている。
【００２０】
また、レール幅規制部２、３間の間隔は、取付レール２０の幅より小さく設定し、レール幅規制部２周辺に形成された溝１０により弾性を持たせる構成とし、取付台１を取付レール２０に固定した時、レール幅規制部２、３により取付レール２０を抱え込むようにしたので、取付レール２０の長手方向（図３におけるＢ方向）への外力に対して横すべりを規制することができる。
【００２１】
また、図４はこの発明の実施の形態１に係る取付台１をネジ取付する場合における溝１０の効果を説明する図で、図２のＡ部（溝１０の周辺）を拡大したものである。電磁接触器の取付台１を取付面２１にネジ取付する場合、ネジ挿入穴７に取付ネジ２２を挿入し、取付ネジ２２を締付けることで取付台１を取付面２１に固定する。
【００２２】
取付面２１が取付台底面１ａに対して傾斜していた場合、取付ネジ２２を締めつけるとレール幅規制部２の底面２ａは取付面２１と不平行な状態で取付けられる不安定な取付となる可能性があるが（図４（ａ））、レール幅規制部２周辺に形成された溝１０によりレール幅規制部２が撓むことで、レール幅規制部の底面２ａは傾斜した取付面２１と平行になり、安定した取付を可能とする（図４（ｂ））。
【００２３】
ところで、上記説明では、取付台下面１ａのレール幅規制部２周辺に１箇所溝１０を形成した例を述べたが、機器のサイズまたは取付台の材料に応じて、レール幅規制部２、３の周辺に各々溝１０を形成するようにしてもよい。
【００２４】
【発明の効果】
この発明は、以上説明したように構成されているので、以下に示すような効果を奏する。
【００２５】
この発明の機器の取付台は、被取付物の取付レールを当接させる取付面となる底部の両側側縁に設けられ、機器本体の両側面に貫通するレール嵌合溝を形成する第１のレール幅規制部および第２のレール幅規制部と、前記取付面部の第１のレール幅規制部および第２のレール幅規制部の内の少なくとも一方の周辺に、前記取付レールの幅方向の弾性を持たせるために形成した溝と、を有し、前記第１のレール幅規制部と第２のレール幅規制部との間隔は、前記取付レールの幅より小さい寸法とし、取付作業時および固定時に前記溝の弾力を利用するようにしたので、
部品点数の増加がなくコンパクトで、レール幅方向への固着力を強化した取付台を得ることができる。
【００２６】
また、この発明の機器の取付台は、被取付物の取付レールを当接させる取付面となる底部の両側側縁に設けられ、機器本体の両側面に貫通するレール嵌合溝を形成するとともに、中央部付近に切欠け部分を設けた第１のレール幅規制部および第２のレール幅規制部と、この第１のレール幅規制部および第２のレール幅規制部の中央部付近の切欠け部分に設けられ、前記取付レールを係止させた際に前記取付レールの一辺および他辺に引掛けて、前記取付レールの外れを規制するかぎ形の第１のレール係止片および第２のレール係止片と、前記取付面部の第１のレール幅規制部および第２のレール幅規制部の内の少なくとも一方の周辺に、前記取付レールの幅方向の弾性を持たせるために形成した溝と、を有し、前記第１のレール幅規制部と第２のレール幅規制部との間隔は、前記取付レールの幅より小さい寸法とし、取付作業時および固定時に前記第１の溝の弾力を利用するようにしたので、レール幅方向への固着力の選定が容易になる。
【００２７】
さらにまた、前記第１のレール幅規制部および前記第２のレール幅規制部にネジ挿入穴を設けたので、
取付台１をネジ取付する場合において、取付面が取付台底面に対して傾斜しても、前記溝の弾性により、取付面と平行を維持することができ、安定した取付を可能とすることができる。
【図面の簡単な説明】
【図１】この発明の実施の形態１に係る取付台を適用した機器の外形を示す図である。
【図２】この発明の実施の形態１に係る取付台と取付レールとの関係を示す図である。
【図３】この発明の実施の形態１に係る取付台を取付レールに取付けた状態を示す図である。
【図４】この発明の実施の形態１に係る取付台１をネジ取付する場合における溝１０の効果を説明する図である。
【符号の説明】
１  取付台、  １ａ  底部、  ２  レール幅規制部、  ２ａ  レール幅規制部２の底面、  ３  レール幅規制部、  ３ａ  レール幅規制部３の底面、  ４  レール係止片、  ４ａ  レール係止片４の底面、  ４ｂ  レール係止片４の引掛片、  ４ｃ  レール係止片４の孔、  ４ｄ  レール係止片４の垂下片、  ５  レール係止片、  ５ａ  レール係止片５の底面、  ５ｂ  レール係止片５の引掛片、５ｃ  レール係止片５の孔、  ５ｄ  レール係止片５の垂下片、  ６  ネジ挿入穴、  ７  ネジ挿入穴、  ８  ネジ挿入穴、  ９  ネジ挿入穴、  １０  取付レールの幅方向の弾性を持たせるために形成する溝、  ２０  取付レール、  ２０ａ  取付レール２０のレール辺、  ２０ｂ  取付レール２０のレール辺、  ２１  取付面、  ２２  取付ネジ。
【図１】
2004296399.tif 000003
【図２】
2004296399.tif 000004
【図３】
2004296399.tif 000005
【図４】
2004296399.tif 000006